(57)【要約】  【課題】  施工手順が容易であり、軒のない構成にもできる屋根裏と外気との間の通気可能な屋根裏通気構造及び通気部材を提供する。  【解決手段】  化粧板１０２及び外壁１０３との間に配置され、屋根裏２と外気との通気経路を形成可能な通気部材１を備え、前記通気部材１は、前記外壁１０３の外表面に沿って延びて配置された金属製の前面開口部２４と、下側に延びる上側邪魔板２９を有する上部邪魔板部２３と、上方へ延びる下側邪魔板３１を有する下部邪魔板部３３と、を有する通気本体部材２０と、前記通気本体部材２０の上部邪魔板部の上側に載置された防火用無機板材２１とを有し、前記化粧板１０３の表面に沿って配置され、屋根から前記通気部材と前記化粧板の境界部分３７の下側まで延びる防水薄板２２を有する。【選択図】  図６
2019173459.tif 000002
【特許請求の範囲】
【請求項１】
垂木の端面に固定された化粧板及び外壁との間に配置され、屋根裏と外気との通気経路を形成可能な通気部材と、前記化粧板の表面に沿って配置され、屋根から前記通気部材と前記化粧板の境界部分の下側まで延びる防水薄板を備え、
前記通気部材は、
前記外壁の外表面に沿って延びて配置され、前記通気経路の通気開口が設けられた板状に構成された金属製の前面開口部と、
前記前面開口部の奥行き側に接続し、下側に延びる上側邪魔板を有する上部邪魔板部と、
前記前面開口部の奥行き側に接続し、前記外壁の上端に接するように配置され、前記上側邪魔板と異なる奥行き位置において前記上方へ延びる下側邪魔板を有する下部邪魔板部と、を有する通気本体部材と、
前記通気本体部材の上部邪魔板部の上側に載置された防火用無機板材と、を有することを特徴とする、屋根裏通気構造。
【請求項２】
前記通気本体部材は、前記前面開口部に沿って上部邪魔板部の上方に延び、前記防火用無機板材の上面に係合する板材係合部をさらに有することを特徴とする、請求項１に記載の屋根裏通気構造。
【請求項３】
前記上部邪魔板部は、前記防火用無機板材を下支えし、奥側端が前記上側邪魔板と連結している、水平部を有することを特徴とする、請求項１又は２に記載の屋根裏通気構造。
【請求項４】
前記防火用無機板材は、前記上側邪魔板部の水平部と、前記板材係合部との間で挟持された状態で前記通気本体部材に固定されることを特徴とする、請求項３に記載の屋根裏通気構造。
【請求項５】
前記下側邪魔板部は、前記下側邪魔板の上側に前記防火用無機板材を下支え可能に平板状に構成された板材載置面を有し、前記下側邪魔板に通気口が設けられていることを特徴とする、請求項１から４のいずれか１つに記載の屋根裏通気構造。
【請求項６】
前記前面開口部に設けられた前記通気開口は、前記下部邪魔板部材より下方まで伸びていることを特徴とする、請求項１から５のいずれか１つに記載の屋根裏通気構造。
【請求項７】
前記前面開口部と、下部邪魔板部と、上部邪魔板部は１枚の金属薄板を折り曲げることにより一体的に構成されていることを特徴とする、請求項１から６のいずれか１つに記載の屋根裏通気構造。
【請求項８】
垂木の端面に固定された化粧板と、前記化粧板の表面に屋根から下側に延びる防水薄板と、前記防水薄板と略同一面に構成された外壁が設けられた軒を有しない屋根裏通気構造において、前記化粧板と外壁の間に配置され、屋根裏と外気との通気経路を形成可能な通気部材であって、
前記通気部材は、
前記外壁の外表面に沿って延びて配置され、前記通気経路の通気開口が設けられた板状に構成された金属製の前面開口部と、
前記前面開口部の奥行き側に接続し、下側に延びる上側邪魔板を有する上部邪魔板部と、
前記前面開口部の奥行き側に接続し、前記外壁の上端に接するように配置され、前記上側邪魔板と異なる奥行き位置において前記上方へ延びる下側邪魔板を有する下部邪魔板部と、を有する通気本体部材と、
前記通気本体部材の上部邪魔板部の上側に載置された防火用無機板材と、を有し、
前記化粧板との境界が防水薄板によって隠蔽されることを特徴とする、通気部材。
【発明の詳細な説明】
【技術分野】
【０００１】
本発明は、屋根裏と外気との間の通気を行なう通気経路を備えた屋根裏通気構造及び通気部材に関する。
【背景技術】
【０００２】
従来の軒天井の取り付けなどに関する軒先の構造では、屋根裏の劣化防止や法上の要請から、屋根裏と外気との間の通気構造を備えたものが求められている。通気構造を有する軒先構造の例としては、特許文献１（特開２０１３−１４７８１８号公報）に開示されているものが知られている。
【０００３】
特許文献１には、窯業系材料で構成された板状本体の裏面側に、通気口が形成された上面部及び下面部、前記上面部及び下面部とを連結する中間部、前記板状本体の裏面側下方位置に連結するための係止部とを有し、略コの字状の薄板状材料で構成された換気金具を取り付けた化粧部材を、軒下の外壁上部に前記換気金具の中間部が接触するように配置される通気構造が記載されている。
【先行技術文献】
【特許文献】
【０００４】
【特許文献１】特開２０１３−１４７８１８号公報
【発明の概要】
【発明が解決しようとする課題】
【０００５】
しかし、特許文献１に記載された通気構造は、板状本体の裏面に突出して設けられる換気金具の中間部が、外壁と接触するように配置されるため、通気部材自体が外壁から妻側に突出したように配置する必要がある。
【０００６】
よって、特許文献１に記載された通気構造は、外壁に段差が形成されるため、軒のない構造を採用する場合には、使用することが難しかった。また、特許文献１に記載された化粧板は、窯業系材料を用いていることから、デザイン面及び高級感の問題は解消できるが、板状本体の裏面側へ突出する換気金具の突出量に合わせて、化粧板が固定される垂木の妻側の裏打ち材及び外壁との奥行き寸法幅を調整する必要がある。
【０００７】
したがって、本発明が解決しようとする技術的課題は、施工手順が容易であり、屋根裏と外気との間の通気可能な屋根裏通気構造及び通気部材を提供することである。
【課題を解決するための手段】
【０００８】
本発明は、上記技術的課題を解決するために、以下の構成の屋根裏通気構造及び通気部材を提供する。
【０００９】
本発明の第１態様によれば、垂木の端面に固定された化粧板及び外壁との間に配置され、屋根裏と外気との通気経路を形成可能な通気部材と、前記化粧板の表面に沿って配置され、屋根から前記通気部材と前記化粧板の境界部分の下側まで延びる防水薄板を備え、
前記通気部材は、
前記外壁の外表面に沿って延びて配置され、前記通気経路の通気開口が設けられた板状に構成された金属製の前面開口部と、
前記前面開口部の奥行き側に接続し、下側に延びる上側邪魔板を有する上部邪魔板部と、
前記前面開口部の奥行き側に接続し、前記外壁の上端に接するように配置され、前記上側邪魔板と異なる奥行き位置において前記上方へ延びる下側邪魔板を有する下部邪魔板部と、を有する通気本体部材と、
前記通気本体部材の上部邪魔板部の上側に載置された防火用無機板材と、を有することを特徴とする、屋根裏通気構造を提供する。
【００１０】
本発明の第２態様によれば、前記通気本体部材は、前記前面開口部に沿って上部邪魔板部の上方に延び、前記防火用無機板材の上面に係合する板材係合部をさらに有することを特徴とする、第１態様の屋根裏通気構造を提供する。
【００１１】
本発明の第３態様によれば、前記上部邪魔板部は、前記防火用無機板材を下支えし、奥側端が前記上側邪魔板と連結している、水平部を有することを特徴とする、第第１又は２態様の屋根裏通気構造を提供する。
【００１２】
本発明の第４態様によれば、前記防火用無機板材は、前記上側邪魔板部の水平部と、前記板材係合部との間で挟持された状態で前記通気本体部材に固定されることを特徴とする、第３態様の屋根裏通気構造を提供する。
【００１３】
本発明の第５態様によれば、前記下側邪魔板部は、前記下側邪魔板の上側に前記防火用無機板材を下支え可能に平板状に構成された板材載置面を有し、前記下側邪魔板に通気口が設けられていることを特徴とする、第１から第４態様のいずれか１つの屋根裏通気構造を提供する。
【００１４】
本発明の第６態様によれば、前記前面開口部に設けられた前記通気開口は、前記下部邪魔板部材より下方まで伸びていることを特徴とする、第１から第５態様のいずれか１つの屋根裏通気構造を提供する。
【００１５】
本発明の第７態様によれば、前記前面開口部と、下部邪魔板部と、上部邪魔板部は１枚の金属薄板を折り曲げることにより一体的に構成されていることを特徴とする、第１から第６態様のいずれか１つの屋根裏通気構造を提供する。
【００１６】
本発明の第８態様によれば、垂木の端面に固定された化粧板と、前記化粧板の表面に屋根から下側に延びる防水薄板と、前記防水薄板と略同一面に構成された外壁が設けられた軒を有しない屋根裏通気構造において、前記化粧板と外壁の間に配置され、屋根裏と外気との通気経路を形成可能な通気部材であって、
前記通気部材は、
前記外壁の外表面に沿って延びて配置され、前記通気経路の通気開口が設けられた板状に構成された金属製の前面開口部と、
前記前面開口部の奥行き側に接続し、下側に延びる上側邪魔板を有する上部邪魔板部と、
前記前面開口部の奥行き側に接続し、前記外壁の上端に接するように配置され、前記上側邪魔板と異なる奥行き位置において前記上方へ延びる下側邪魔板を有する下部邪魔板部と、を有する通気本体部材と、
前記通気本体部材の上部邪魔板部の上側に載置された防火用無機板材と、を有し、
前記化粧板との境界が防水薄板によって隠蔽されることを特徴とする、通気部材を提供する。
【発明の効果】
【００１７】
本発明によれば、化粧板と外壁との間の隙間を外側から塞ぐように配置された通気部材によって、当該隙間を介して屋根裏と外気の通気を行うことができる。また、通気部材は、通気本体部材が金属で構成されているため、耐候性に優れる。また、通気本体部材の上側、すなわち、通気本体部材と化粧板との間には、防火用無機板材を有し、防火性能を向上させることができると共に、化粧板の表面に沿って配置される、防火用無機板材は、その材質の特徴上、化粧板との境界部分は、シールを塗布することなく、防水薄板によって隠蔽することで、外観上の問題も解消することができる。
【００１８】
また、防火用無機板材は、無機材料で構成されており、熱を伝えにくいので、化粧板の温度上昇を抑えることができる。
【００１９】
さらに、下部邪魔板部材と上部邪魔板部材とが設けられ、これによって、通気開口から吹き込んだ雨水などが外壁内側に浸入することが防止される。
【００２０】
また、通気金具の取り付けは、前記化粧板と外壁との間の隙間に下部邪魔板部材と上部邪魔板部材を嵌め込んで、固定すればよいので、施工が容易であり、取り付けが容易である。
【００２１】
これにより、施工手順が容易であり、例えば、垂木の端面に固定された化粧板及び前記化粧板と上下方向に間隔をおいて配置された外壁との外表面が略同一面となる軒のない構成おいても適用できる屋根裏と外気との間の通気可能な屋根裏通気構造を提供することができる。
【図面の簡単な説明】
【００２２】
【図１】本発明の実施形態にかかる屋根裏通気構造が用いられた家屋の例を示す図である。
【図２】本発明の第１実施形態にかかる通気部材が用いられた屋根裏通気構造の例を示す断面図である。
【図３】図２の妻側外壁の構成を示す部分断面斜視図である。
【図４】本発明の第１実施形態にかかる通気部材の構成を示す斜視図である。
【図５】図４の通気部材の構成を示す断面図である。
【図６】図２の屋根裏通気構造のＶＩ部分の拡大図である。
【図７】本発明の第２実施形態にかかる通気部材が用いられた屋根裏通気構造の例を示す拡大断面図である。
【発明を実施するための形態】
【００２３】
以下、本発明の実施形態に係る通気部材及び当該通気部材を用いた屋根裏通気構造について、図面を参照しながら説明する。
【００２４】
図１は、本発明の実施形態にかかる通気部材が用いられた家屋の例を示す図である。本実施形態にかかる通気部材１は、屋根裏と外気の間で通気が可能な屋根裏通気構造５０に用いられる。通気部材１は、家屋１００の屋根１０１の妻側化粧板１０２と妻側外壁１０３との間、又は、家屋１００の屋根１０１の平側化粧板１０４と平側の外壁である平壁１０５との間に形成される隙間１７（図３参照）に取り付けられる。以下、本発明の通気部材１を妻側に取り付ける場合について説明するが、平側に取り付ける場合も基本的な構成は共通する。
【００２５】
（第１実施形態）
図２は、本発明の第１実施形態にかかる通気部材が用いられた屋根裏通気構造の例を示す断面図である。図３は、図２の妻側外壁の構成を示す部分断面斜視図である。図２は、通気部材を妻側に用いた屋根裏通気構造を例として説明するものであり、図１のII-II線における断面図に相当する。
【００２６】
本実施形態にかかる屋根裏通気構造５０においては、上記の通り本発明にかかる通気部材を妻側に用いている。本実施形態にかかる屋根裏通気構造５０では、垂木３の上に野地板４を敷いて、瓦などの屋根化粧材５を載せる。野地板４の先端部分には水切り板６が設けられる。
【００２７】
垂木３の先端側には妻側化粧板１０２が設けられている。妻側化粧板１０２は、複数の垂木３を跨ぐように、垂木３の延在方向に沿って交差する方向に設けられる。該妻側化粧板１０２は、図示しないビスなどにより垂木３に固定される。なお、固定は、ねじに限らず、釘、ビス、金具等の固定部材を用いることができる。
【００２８】
妻側化粧板１０２は、垂木の先端に設けられる下地材７と、下地材７の表面側に配置される化粧材８とを有する。下地材７は木材等が用いられ、化粧材８は、窯業系材料などを好適に用いることができる。窯業系材料としては、例えば、無機系材料からなり、好ましくは、比重が０．７５〜２．０程度のセメント系押出成形体などを用いることができる。なお、妻側化粧板１０２は、下地材７を省略し、化粧材８を垂木３に直接取り付けることも可能である。
【００２９】
妻側化粧板１０２の化粧材８の表面には、防水薄板２２が配置される。防水薄板２２については、詳細は後述する。
【００３０】
妻側外壁１０３は、所定の間隔を置いて配置される柱９と柱９の上端に水平方向に配置される妻梁１０とに固定される。柱９と妻梁１０との間には、天井１１が設けられる。天井１１と野地板４の間のスペースが屋根裏２となる。また、柱９の内側すなわち、屋内側には、内壁１２が配置される。内壁１２の内側は居住スペース１２ａとなる。
【００３１】
妻側外壁１０３は、下地合板１３と通気胴縁１４とサイディング材１５が積層されて構成されている。下地合板１３は、柱９に固定される薄手の木材で構成されており、表面に防湿シート１３ａを貼着する。下地合板１３の厚み寸法は、例えば９ｍｍ程度とすることができる。
【００３２】
通気胴縁１４は、図３に示すように、下地合板１３の外表面に所定の間隔をおいて配置される。通気胴縁１４の間の空間は、妻側外壁１０３の壁内通気経路１６となる。通気胴縁１４の厚み寸法は、例えば１５ｍｍ程度とすることができる
【００３３】
サイディング材１５は、妻側外壁の最外装に配置される。サイディング材１５としては、例えば、妻側化粧板１０２の化粧材８と同様の材質を用いることができる。サイディング材１５の厚み寸法は、例えば１６ｍｍ程度とすることができる。
【００３４】
本実施形態では、サイディング材１５は、下地合板１３と通気胴縁１４と比べて、上端側に若干の段差を有し、上端にシール充填空間１５ａが形成されるように構成されている。当該シール充填空間１５ａは、後述する通気部材１を固定するために用いられる。また、当該シール充填空間１５ａには、後述する通気部材１の固定部３９を隠蔽するためにシール材１５ｂが充填される。
【００３５】
本実施形態では、妻側外壁１０３と妻側化粧板１０２との外表面は、ほぼ同一平面となっている。すなわち、本実施形態にかかる家屋１００は、軒を有しない家屋となっている。妻側外壁１０３と妻側化粧板１０２との外表面を同一平面とするには、例えば、妻側化粧板１０２の下地材７や妻側外壁１０３の下地合板１３の厚み寸法を調整すればよい。
【００３６】
また、妻側外壁１０３と妻側化粧板１０２との間には、隙間１７が設けられており、当該隙間１７に通気部材１が配置される。なお、後述するように通気部材１は、長さ寸法Ｌは２〜３ｍ程度の部材であり、隙間１７は、通気部材１が配置される部分にのみ形成されていればよい。
【００３７】
図４は本発明の第１実施形態にかかる通気部材１の構成を示す斜視図である。本実施形態にかかる通気部材１は、金属で構成された通気本体部材２０と、通気本体部材２０の上方に取り付けられた防火用無機板材２１で構成されている。本実施形態では、通気部材１の長さ寸法Ｌは２〜３ｍとなっている。また、通気部材１の通気本体部材２０と防火用無機板材２１とを含む全体の高さ寸法Ｈ１は、隙間１７の高さ寸法に対応する。なお、通気部材１の大きさは、必ずしも上記サイズに限定されるものではなく、軒下構造の大きさに応じて適宜変更することができる。
【００３８】
通気本体部材２０は、一定の厚み寸法を有する金属板を折り曲げて構成されている。通気本体部材２０に好適に用いられる材料としては、ステンレス、鋼鉄、アルミニウム材料などが挙げられる。通気本体部材２０の前面２０ａは、多数の通気開口２５が穿設された前面開口部２４となっている。前面２０ａには、コーティングなどの防錆処理やデザイン面の向上のための加飾処理を施してもよい。
【００３９】
通気本体部材２０が金属で構成されることにより、屋外に露出する通気本体部材２０の耐候性を向上させることができる。
【００４０】
通気開口２５は、単位長さあたり所定の開口面積を確保できるように、大きさ及び設置数が設計される。本実施形態では、通気開口２５は、上下方向に長い長孔形状に構成されているが、当該長孔形状に限定されるものではない。
【００４１】
本実施形態では、通気本体部材２０の前面２０ａの上端は、防火用無機板材２１を固定するための板材係合部２６となっている。板材係合部２６は、上端が水平方向に折り返された挟持板片２７となっており、後述する上部邪魔板部２３の水平部２８と前記防火用無機板材２１の上下面を狭持して、防火用無機板材２１と通気本体部材２０とを係合させる。
【００４２】
防火用無機板材２１は、板状に成形された無機材料で構成されている。防火用無機板材２１に好適に用いられる材料としては、比重が０．８〜１．５程度のセメント系押出成形体などが好適に用いられる。防火用無機板材２１に用いられる具体的な材料として、繊維混入けい酸カルシウム板、繊維混入セメントけい酸カルシウム板、繊維補強セメント板、石灰・けい酸カルシウム板、硬質木片セメント板等の窯業系材料を用いることができる。これらの素材は、防火性能が高く、また、熱を伝えにくいので、通気本体部材２０からの熱が妻側外壁１０３の内部に伝わり難くすることができ、居住スペース１２ａの温度上昇の抑制及び防寒性能を向上させることができる。
【００４３】
防火用無機板材２１は、図４に示すように、通気本体部材２０の上側に取り付けられるため、通気本体部材２０と略同じ長さ寸法を有する。また、厚み寸法は、２〜８ｃｍ程度、特に３〜５ｃｍ程度とすることが好ましい。
【００４４】
通気本体部材２０は、防火用無機板材２１を固定するために、上部邪魔板部２３と下部邪魔板部３３とを有する。
【００４５】
上部邪魔板部２３は、前面開口部２４の裏面側、開口２５の上方位置に溶接されており、板材係合部２６の挟持板片２７と対向するように水平に延びる水平部２８と、水平部２８の奥行き側が下向きに折り返された上側邪魔板２９とを有する断面Ｌ字状の部材である。水平部２８と挟持板片２７とは、上記のように、防火用無機板材２１を上下方向から挟持して支持するため、その間の離間距離Ｈ３は、防火用無機板材２１の厚み寸法と等しく構成されている。
【００４６】
本実施形態では、上部邪魔板部２３は、前面開口部２４の裏面側に溶接されているが、例えば、板材係合部２６から続く１枚の金属板を折り返して構成することもできる。
【００４７】
下部邪魔板部３３は、前面開口部２４の下端から延びる底面部３０の奥側端部を折り返すことにより、構成されている。下部邪魔板部３３は、図４に示すように、底面部３０に連続し上向きに鉛直方向に延びる下側邪魔板３１と、下側邪魔板３１に連続し、水平方向に折り返された水平部３２と、水平部３２の奥側に下向きに折り返された裏板部３４とが一体に構成されている。
【００４８】
下側邪魔板３１は、上側邪魔板２９と異なる奥行き位置に配置されている。下側邪魔板３１の高さ寸法Ｈ２は、水平部３２が、板材係合部２６の水平部２８と同じ高さとなっている。すなわち、板材係合部２６の水平部２８と下側邪魔板３１の水平部３２の上に、防火用無機板材２１が載置されて支持される。
【００４９】
下側邪魔板３１の上方位置には、複数の通気孔３５が長さ方向に一列に並んで設けられている。通気口３５は、単位長さあたり所定の開口面積を確保できるように、大きさ及び設置数が設計される。本実施形態では、一辺が２〜３ｃｍ程度の矩形の開口となっている。
【００５０】
水平部３２は、前方側が防火用無機板材２１の後方端部近傍を支持する支持領域３２ａと、防火用無機板材２１の後方まで延びる通気領域３２ｂとを備える。支持領域３２ａは、本発明の板材載置面の一例に相当する。通気領域３２ｂには、矩形の通気口３６が設けられている。通気口３６は、単位長さあたり所定の開口面積を確保できるように、大きさ及び設置数が設計される。本実施形態では、一辺が２〜３ｃｍ程度の矩形の開口となっている。
【００５１】
裏板部３４は、妻梁１０の表面に当接し、通気部材１の奥行き方向の取り付け位置を確定する。本実施形態では、裏板部３４は、下方向に延びるように構成されているが、上方に延びるように構成されていてもよい。裏板部３４の裏面は、妻梁１０の表面と接着剤などで接着して固定してもよい。
【００５２】
底面部３０の下側には、固定部３９が配置されている。固定部３９は、シール充填空間１５ａの奥側に位置する通気胴縁１４に当接する。すなわち、裏面部３４から固定部３９までの距離Ｄは、下地合板１３と通気胴縁１４との厚み寸法と略等しく構成されている。固定部３９は、図２及び図６に示すように、固定釘１０６により通気胴縁１４に固定される。
【００５３】
図６は、本実施形態にかかる通気部材１を備えた屋根裏通気構造の部分拡大図である。図６に示すように、通気部材１は、通気本体部材２０を妻側化粧板１０２及び妻側外壁１０３の間に形成された隙間に配置される。このとき、通気本体部材２０の全面開口部２４が、妻側化粧板１０２及び妻側外壁１０３表面と略同一面となるように配置する。
【００５４】
すなわち、通気部材１の防火用無機板材２１は妻側化粧板１０２の下面に接触し、通気部材１の底面部３０は、妻側外壁１０３の下地合板１３と通気胴縁１４との上面に接触する。なお、サイディング材１５は、上記の通り、下地合板１３と通気胴縁１４よりも低く構成されているため、底面部３０との間に隙間を生じ、当該隙間がシール充填空間１５ａとして機能する。
【００５５】
通気部材１は、底面部３０の裏面を妻側外壁１０３に接着剤などで接着して固定してもよい。通気部材１と妻側外壁１０３のサイディング材１５との間のシール充填空間１５ａには、シール材１５ｂが充填される。これにより、通気部材と妻側外壁１０３との間が水密に構成される。
【００５６】
一方で、防火用無機板材２１の上面と妻側化粧板１０２とは、接着などにより固定することが難しいため、水密を確保することが難しい。このため、本実施形態では通気部材１と妻側化粧板１０２との防水を確保するために、防水薄板２２を備えている。
【００５７】
防水薄板２２は、通気部材１と妻側化粧板１０２との境界部分３７を隠蔽することによって、当該境界部分３７の防水性を確保する。
【００５８】
防水薄板２２は、例えば、金属で構成されており、屋根の野地板４と水切り板６との間に、野地板４の表面に沿い、野地板４の下面から妻側化粧板１０２の表面に沿って延びる板状の部材である。防水薄板２２の下端２２ａは、通気部材１と妻側化粧板１０２との境界部分３７の下側にまで到達する。
【００５９】
図６に示すように、屋根裏通気構造５０は、矢印８０で示すように、通気部材により屋根裏と外気とを連通する通気経路８０が形成され、屋根裏と外気との間の通気を行なうことができる。
【００６０】
すなわち、通気経路８０は、通気本体部材２０の通気開口２５から前面開口部２４の裏面側に延び、上側邪魔板２９と下側邪魔板３１との隙間を通り、下側邪魔板３１の通気口３５、水平部３２の通気口３６を通って、屋根裏まで連通する。
【００６１】
前面開口部２４と上側邪魔板２９との隙間寸法Ａ、上側邪魔板２９と下側邪魔板３１との隙間寸法Ｂ、下側邪魔板３１と裏板部３４との隙間寸法Ｃは、共に、所定の開口面積を確保することができるように設計されており、妻側外壁１０３の厚み寸法や開口面積などの観点から決定すればよい。なお、本実施形態では、隙間寸法Ａ、隙間寸法Ｂ、隙間寸法Ｃは、いずれも同寸法である。
【００６２】
また、上側邪魔板２９と下側邪魔板３１によって、通気経路８０は蛇行し、通気開口２５から浸入した雨水などが屋根裏側に浸入することを防止する。
【００６３】
また、下側邪魔板３１と裏板部３４との間の空間は、壁内通気経路１６を閉塞することなく開口しているため、矢印８１に示すように、壁内通気経路１６と屋根裏との通気を確保することができる。また、下側邪魔板３１の通気口３５は、下側邪魔板３１の上端近傍に設けられているため、壁内通気経路１６への水の流入を抑制することができる。
【００６４】
また、前面開口部２４の通気開口２５は、その下端位置２５ａが、底面部３０と略同じ高さ位置となるように、すなわち、底面部３０の表面に設けられている下側邪魔板３１よりも下側に位置するように構成されている。これにより、通気経路８０に浸入した水は、通気開口２５から外部に排出される。なお、通気経路８０に浸入した水をより排出をしやすく排出するために、底面部３０を前方側が低くなるようにわずかに傾斜させて構成してもよい。
【００６５】
本実施形態にかかる屋根裏通気構造は、上記の通り、妻側化粧板１０２及び妻側外壁１０３との間の隙間１７に通気部材１を配置することによって、通気部材１に設けられた通気経路８０により、屋根裏と外気とが通気できるように構成されている。一方で、通気部材１に設けられた複数の邪魔板によって通気経路は蛇行し、空気の急激な吹き込みを防止して、雨水などの屋根裏への浸入を防止することができる。
【００６６】
また、通気本体部材２０を金属で構成することにより、屋外に露出する通気本体部材２０の耐候性を向上させることができる一方、防火用無機板材２１は、セメント系材料で構成することにより、通気本体部材２０からの熱が妻側外壁１０３の内部へ伝わり難くすることができる。これにより、居住スペース１２ａの温度上昇の抑制及び防寒性能を向上させることができる。
【００６７】
さらに、屋根から妻側化粧板１０２に沿って当該境界部分３７の下側まで延びる防水薄板２２を設けることにより、材質及び構造的要因により、通気部材１と妻側化粧板１０２との境界部分３７の防水性を確保することができる。
【００６８】
（第２実施形態）
次に本発明の第２実施形態について説明する。図７は、本発明の第２実施形態にかかる通気部材４１が用いられた屋根裏通気構造５１の例を示す拡大断面図である。本実施形態にかかる通気部材４１は、第１実施形態にかかる通気部材１と同様に、妻側外壁１０３と妻側化粧板１０２との間の隙間１７に配置される。また、金属で構成された通気本体部材２０と、通気本体部材２０の上側に設けられた防火用無機板材２１とで構成されている。以下、第１実施形態にかかる通気部材１との相違点を中心として説明し、共通する部分については説明を省略する。
【００６９】
通気本体部材２０は、一定の厚み寸法を有する金属板を折り曲げて構成され、底板部３０に第２下側邪魔板３８を備える点において、第１実施形態と相違する。
【００７０】
第２下側邪魔板３８は、前面開口部２４と上側邪魔板２９との間の奥行き位置に溶接され、前面開口部２４と略平行に設けられた板状部材である。第２下側邪魔板３８は、鉛直方向上側に延び、その高さは、その上端部分３８ａが上側邪魔板２９の下端部分２９ａよりも高い位置となるように構成されている。
【００７１】
通気部材４１は、屋根裏と外気とを連通する通気経路を有し、この通気部材４１を屋根裏通気構造に用いることにより、屋根裏と外気との間の通気を行なうことができる。
【００７２】
また、上側邪魔板２９と第２下側邪魔板３８とは、互いに高さ方向に重なるような長さに構成されているため、通気経路８０は蛇行し、通気開口２４から浸入した雨水などが屋根裏側に浸入しにくくなっている。
【００７３】
一方で、第２下側邪魔板３８の下端位置には、通気部材４１の長さ方向に所定間隔をおいて水抜き穴４０が複数設けられる。水抜き穴４０は、通気経路内の水を外部に排出することができる。
【００７４】
以上説明したように、本実施形態の屋根裏通気構造によれば、妻側化粧板１０２及び妻側外壁１０３との間の隙間１７に通気部材１を配置することによって、通気部材１に設けられた通気経路８０により、屋根裏と外気とが通気できるように構成されている。一方で、通気部材１に設けられた複数の邪魔板によって通気経路は蛇行し、空気の急激な吹き込みを防止して、雨水などの屋根裏への浸入を防止することができる。
【００７５】
なお、本発明は上記実施形態に限定されるものではなく、その他種々の態様で実施可能である。
【００７６】
たとえば、本発明の通気部材は、上記実施形態の妻側にのみ限定されるものではなく、平側にも使用することができる。
【００７７】
また、上記各実施形態では、上側邪魔板は１枚のみであるが、複数であってもよい。また、下側邪魔板も、３枚以上であってもよい。これらの邪魔板の枚数は、通気経路の開口面積などに基づいて決定することができる。
【符号の説明】
【００７８】
１，４１  通気部材
２  屋根裏
３  垂木
４  野地板
５  屋根化粧材
６  水切り板
７  下地材
８  化粧材
９  柱
１０  妻梁
１１  天井
１２  内壁
１２ａ  居住スペース
１３  下地合板
１３ａ  防湿シート
１４  通気胴縁
１５  サイディング材
１５ａ  シール充填空間
１６  壁内通気経路
１７  隙間
２０  通気本体部材
２０ａ  通気本体部材の前面
２１  防火用無機板材
２２  防水薄板
２２ａ  防水薄板下端
２３  上部邪魔板部
２４  前面開口部
２５  通気開口
２６  板材係合部
２７  挟持板片
２８  水平部
２９  上側邪魔板
２９ａ  上側邪魔板下端部分
３０  底面部
３１  下側邪魔板
３２  水平部
３２ａ  支持領域
３２ｂ  通気領域
３３  下部邪魔板部
３４  裏板部
３５  通気口
３６  通気口
３７  境界部分
３８  第２下側邪魔板
３９  固定部
４０  水抜き穴
５０，５１  屋根裏通気構造
８０，８１  通気経路
１００  家屋
１０１  屋根
１０４  平側化粧板
１０５  平壁
１０２  妻側化粧板
１０３  妻側外壁
１０６  固定釘
【図１】
2019173459.tif 000003
【図２】
2019173459.tif 000004
【図３】
2019173459.tif 000005
【図４】
2019173459.tif 000006
【図５】
2019173459.tif 000007
【図６】
2019173459.tif 000008
【図７】
2019173459.tif 000009